(57)【要約】【課題】優れた光反射機能を有するだけでなく、デザイン性にも優れた杖を提供する。【解決手段】棒状部（１）、取っ手（２）、石突き（３）を有し、前記棒状部（１）に模様層（５１，５１Ａ）を有する光反射シート（５，５Ａ）を巻き付けた杖である。前記光反射シート（５，５Ａ）は、基布（５２）の上にアルミニウム薄層（５３）を形成し、その上に接着剤（５４）によりガラスビーズ層（５５）を固定し、さらにその上に前記模様層（５１，５１Ａ）を形成している。【選択図】図１
2011036402.tif 000002
【特許請求の範囲】
【請求項１】
棒状部（１）及び取っ手（２）を有し、前記棒状部（１）の少なくとも一部に模様層（５１，５１Ａ）を有する光反射シート（５，５Ａ）を巻き付けた杖・傘において、
前記光反射シート（５，５Ａ）が、基布（５２）の上にアルミニウム薄層（５３）を形成し、その上に接着剤（５４）によりガラスビーズ層（５５）を固定し、さらにその上に前記模様層（５１，５１Ａ）を形成したものであることを特徴とする杖・傘。
【請求項２】
前記模様層（５１，５１Ａ）がガラスビーズ層（５５，５５Ａ）の上に着色インクでプリントして設けられたものである請求項１記載の杖・傘。
【請求項３】
前記模様層（５１）の上をさらに透明ウレタンでコーティングした請求項１又は２記載の杖・傘。
【請求項４】
前記模様層（５１Ａ）が前記着色インクと共に半透明インク（５６）を併用して形成されたものである請求項１又は２のいずれかに記載の杖・傘。
【請求項５】
前記模様層（５１Ａ）の上をさらに透明ウレタンでコーティングした請求項４記載の杖・傘。
【発明の詳細な説明】
【技術分野】
【０００１】
本発明は光反射機能を有する杖・傘に関する。
【背景技術】
【０００２】
車の運転者にとって、暗がりでは歩行者を認識しにくい。また、歩行者の側でも、特に、杖をつきながら歩行する老人、身体障害者、病人は、とっさに危険を避けることができないことが多い。交通事故を防ぐため、そのような歩行者は、暗がりでも運転者から視認され易いように工夫する必要がある。
【０００３】
傘については、雨の日には誰でも使用するものであること、また拡げた傘布のため視界が遮られやすいものであることのために、その必要性は杖に劣らない。
【０００４】
上記見地から、自動車のヘッドライトや街路灯の光を杖に反射させるため、「金属中空パイプより成る柄杆本体の外表面に反射性ないし発光性の光反射面を形成」した杖が提案されている（特開２０００−１３９５３１）。反射層として、「光を透過する透明層を形成する塗料に、微細なガラスビーズやプリズム等を分散して混入したり、あるいは、反射面の上にガラスビーズやプリズムを配列したりすること」も知られている（実用新案登録第３０２３６３９号）。同様に、中棒に再帰性反射シートを取り付けた傘も公知である（特開平８−３２３）。
【発明の概要】
【発明が解決しようとする課題】
【０００５】
しかし、上記従来の特許文献の杖・傘は、それらの添付図面が示すように、まったくデザイン性に欠けるものであった。
【０００６】
本発明は、優れた光反射機能を有するだけでなく、デザイン性にも優れた杖・傘を提供することを目的とする。
【課題を解決するための手段】
【０００７】
本発明請求項１の杖・傘は、棒状部及び取っ手を有し、前記棒状部の少なくとも一部に模様層を有する光反射シートを巻き付けた杖・傘において、前記光反射シートが、基布の上にアルミニウム薄層を形成し、その上に接着剤によりガラスビーズ層を固定し、さらにその上に前記模様層を形成したものであることを特徴とする。「棒状部」は、杖の場合、「本体」に相当し、傘の場合、「中棒」に相当する。「模様」には図形、文字、濃淡色彩を含む。
【０００８】
本発明請求項２の杖・傘は、前記模様層がガラスビーズ層の上にプリントして設けられたものである。
【０００９】
本発明請求項３の杖・傘は、前記模様層の上から透明ウレタンコーティングしたものである。
【００１０】
本発明請求項４の杖・傘は、前記模様層の上から半透明インクでコーティングすることにより、模様が形成されていない部分を半透明インクで充填させたものである。
【００１１】
本発明請求項５の杖・傘は、前記模様層及び前記半透明インクで充填した層の上をさらに透明ウレタンでコーティングしたものである。
【発明の効果】
【００１２】
本発明請求項１の杖・傘によれば、光反射機能を有するのは当然であって、さらに模様を有することにより非常にデザイン性に優れたものとなり、歩行者に積極的に歩行しようという気持ちを持たせることができる。
【００１３】
本発明請求項２の杖・傘によれば、模様層が効果的に得られる。
【００１４】
本発明請求項４の杖・傘によれば、半透明インクを塗った部分が光の入射角を調節し、再帰反射することができる。
【００１５】
本発明請求項３及び５の杖・傘によれば、模様層が保護されることにより、長期間使用しても模様がはげ落ちにくくなる。
【図面の簡単な説明】
【００１６】
【図１】本発明の実施例に係る杖の正面図である。
【図２】杖棒状部に巻き付ける模様入り光反射シートの斜視図である。
【図３】第１実施例に係る模様部分の拡大断面図である。
【図４】第２実施例に係る模様部分の拡大断面図である。
【図５】第３実施例に係る傘の斜視図である。
【発明を実施するための形態】
【００１７】
以下、添付の図面に基づき本発明の実施例を説明する。
【実施例１】
【００１８】
図１に示すように、この杖は、本体１、取っ手２、石突き３、紐４を有する。本体には図２に示すような花柄の模様５１が入った光反射シート５が巻き付けられている。光反射シート５を巻き付けるのは、本体１の全体であることが好ましいが、一部でもよい。
【００１９】
光反射シート５は図３に断面を示すように、基布５２の上にアルミニウム薄層５３を形成し、その上に接着剤５４によりガラスビーズ層５５を固定している。
【００２０】
基布５２は、例えばプラスチックフィルム、布帛等から構成する。
【００２１】
アルミニウム薄層は、例えば、アルミニウムの金属薄膜を蒸着あるいはメッキするか、又はアルミニウム粉末等の光反射性物質を混入した樹脂液を塗布することにより形成することができる。
【００２２】
ガラスビーズ５５は、直径500μ以下、屈折率2.0以上のものを用いる。直径が500μを超えると薄く、柔軟な、光反射器として汎用性のあるものが得られず、通常50〜150μ程度のものが好ましい。また屈折率が2.0未満のものでは、すぐれた光再帰性反射能は得られない。
【００２３】
本発明では、ガラスビーズ層５５の上に着色インクでプリントすることにより模様層５１を設ける。模様層５１は、文字、図柄等を形成するように、スクリーン印刷して設けるのが好ましい。
【００２４】
この光反射シート５によると、着色インクがガラスビーズを覆っているところでは、光が反射しないが、色つきインクのない部分（模様が形成されていない部分）は光を反射する。
【００２５】
必要なら、最終工程として、光反射シートの表面に透明ウレタンコーティング（図示せず）を施してもよい。
【実施例２】
【００２６】
図４は、本発明の光反射シートの第２実施例である。第１実施例と異なるのは、半透明インク５６でコーティングすることにより、前記のインクのない部分（模様が形成されていない部分）も半透明インク５６で充填させる点である。その他は第１実施例と同様なので、第１実施例の符号に「Ａ」を付けてその説明を省略する。
【００２７】
本実施例２では、半透明インク５６を塗った部分が光の入射角を調節し、再帰反射する。また、実施例１では、ガラスビーズ層５５Ａとアルミニウム薄層５３Ａの銀色が表に出ていたが、実施例２では色の付いた半透明インク５６を乗せることでデザイン性が向上するという効果が得られる。
【００２８】
この実施例においても、必要なら、最終工程として、光反射シートの表面に透明ウレタンコーティング（図示せず）を施してもよい。
【実施例３】
【００２９】
図５は、傘の中棒に、光反射シート５Ｂを取り付けた状態の傘の斜視図であり、第３実施例である。光反射シート５Ｂの構造は実施例１又は２と同様である。
【符号の説明】
【００３０】
１     棒状部
２     取っ手
３     石突き
４     紐
５，５Ａ，５Ｂ       光反射シート
５１，５１Ａ  模様
５２，５２Ａ  基布
５３，５３Ａ  アルミニウム薄層
５４，５４Ａ  接着剤
５５，５５Ａ  ガラスビーズ層
５６   半透明インク
６     傘
【先行技術文献】
【特許文献】
【００３１】
【特許文献１】特開２０００−１３９５３１
【特許文献２】実用新案登録第３０２３６３９号
【特許文献３】特開平８−３２３
【図１】
2011036402.tif 000003
【図２】
2011036402.tif 000004
【図３】
2011036402.tif 000005
【図４】
2011036402.tif 000006
【図５】
2011036402.tif 000007